【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
検出すべき対象物の３次元位置を検出する情報処理装置において、
前記対象物の３次元位置を検出するために用いられる検出用電極として機能することが可能な複数の電極を有する静電容量センサと、
前記複数の電極のうち、前記検出用電極として機能する電極により得られる取得値に基づいて、前記対象物の３次元位置を検出する検出手段と、
検出された前記対象物の３次元位置に応じて、前記複数の電極の状態を調整する調整手段と
を含む情報処理装置。
【請求項２】
前記検出手段は、前記複数の電極のうち、前記検出用電極として機能する電極により得られる出力電圧に基づいて、前記対象物の３次元位置を検出する
請求項１に記載の情報処理装置。
【請求項３】
前記調整手段は、検出された前記対象物の３次元位置に応じて、前記複数の電極のうち、前記検出用電極として機能する電極の個数を調整する
請求項２に記載の情報処理装置。
【請求項４】
前記調整手段は、
前記対象物が第１の検出空間内の３次元位置に存在する場合、前記検出用電極として機能する電極の個数を第１の個数に調整し、
前記対象物が、前記静電容量センサを基準として前記第１の検出空間よりも近い場所に存在する第２の検出空間内の３次元位置に存在する場合、前記検出用電極として機能する電極の個数を前記第１の個数よりも多い第２の個数に調整する
請求項３に記載の情報処理装置。
【請求項５】
前記調整手段は、検出された前記対象物の３次元位置に応じて、前記複数の電極のうち、前記検出用電極として機能する電極が配置される間隔も調整する
請求項４に記載の情報処理装置。
【請求項６】
前記調整手段は、さらに、
前記対象物が前記第１の検出空間内の３次元位置に存在する場合、前記検出用電極として機能する電極が配置される間隔を第１の間隔に調整し、
前記対象物が前記第２の検出空間内の３次元位置に存在する場合、前記検出用電極として機能する電極が配置される間隔を、前記第１の間隔よりも狭い第２の間隔に調整する
請求項５に記載の情報処理装置。
【請求項７】
前記静電容量センサは、前記静電容量センサの平面上にマトリックス状に配置された前記複数の電極を有している
請求項６に記載の情報処理装置。
【請求項８】
画像を表示する表示面に前記静電容量センサが設けられた表示手段と、
検出された前記対象物の３次元位置に基づいて、前記表示手段の前記表示面に対する表示を制御する表示制御手段と
をさらに含む請求項７に記載の情報処理装置。
【請求項９】
前記表示制御手段は、
前記対象物が前記第１の検出空間内の３次元位置に存在する場合、ユーザにより選択される対象の候補をそれぞれ表す複数の選択対象の表示を制御し、
前記対象物が前記第２の検出空間内の３次元位置に存在する場合、前記複数の選択対象のうち、前記対象物の３次元位置に対応する選択対象の表示を制御する
請求項８に記載の情報処理装置。
【請求項１０】
前記調整手段は、検出された前記対象物の３次元位置に応じて、前記複数の電極のうち、前記検出用電極として機能する電極の検知感度も調整する
請求項９に記載の情報処理装置。
【請求項１１】
前記調整手段は、さらに、
前記対象物が前記第１の検出空間内の３次元位置に存在する場合、前記検出用電極として機能する電極の検知感度を第１の検知感度に調整し、
前記対象物が前記第２の検出空間内の３次元位置に存在する場合、前記検出用電極として機能する電極の検知感度を、前記第１の検知感度よりも低い第２の検知感度に調整する
請求項１０に記載の情報処理装置。
【請求項１２】
前記検出手段は、調整された前記検知感度に応じて得られる前記出力電圧に基づいて、前記対象物の３次元位置を検出する
請求項１１に記載の情報処理装置。
【請求項１３】
前記検出手段は、
前記検出用電極として機能する電極の検知感度が前記第１の検知感度に調整された場合、前記第１の検知感度に応じて得られる前記出力電圧に基づいて、前記対象物の３次元位置を検出し、
前記検出用電極として機能する電極の検知感度が前記第２の検知感度に調整された場合、前記第２の検知感度に応じて得られる前記出力電圧に基づいて、前記対象物の３次元位置を検出する
請求項１２に記載の情報処理装置。
【請求項１４】
検出すべき対象物の３次元位置を検出する情報処理装置の情報処理方法において、
前記情報処理装置は、
静電容量センサと、
検出手段と、
調整手段と
を含み、
前記静電容量センサは、前記対象物の３次元位置を検出するために用いられる検出用電極として機能することが可能な複数の電極を有し、
前記検出手段が、前記複数の電極のうち、前記検出用電極として機能する電極により得られる取得値に基づいて、前記対象物の３次元位置を検出し、
前記調整手段が、検出された前記対象物の３次元位置に応じて、前記複数の電極の状態を調整する
ステップを含む情報処理方法。
【手続補正２】
【補正対象書類名】明細書
【補正対象項目名】０００１
【補正方法】変更
【補正の内容】
【０００１】
この発明は情報処理装置およびこれを使用した情報処理方法に関する。詳しくは、パネル状をなすパネルセンサ面への接触状態はもちろんのこと、対峙したパネルセンサ面の空間位置（非接触状態）を検知できるようにしたものである。また、非接触状態の指などの動きに応じて表示パネルに表示された映像などの表示状態に変化を持たせるなどして、今までにない情報表示状態（表示態様）を具現したものである。
【手続補正３】
【補正対象書類名】明細書
【補正対象項目名】０００９
【補正方法】変更
【補正の内容】
【０００９】
そこで、この発明はこのような従来の課題を解決したものであって、特にパネルセンサ面への接触状態はもちろんのこと、パネルセンサ面と対峙する対象物の空間位置を検知できるようにした情報処理装置等を提案するものである。
【手続補正４】
【補正対象書類名】明細書
【補正対象項目名】００１０
【補正方法】変更
【補正の内容】
【００１０】
本発明の一側面の情報処理装置は、検出すべき対象物の３次元位置を検出する情報処理装置であって、前記対象物の３次元位置を検出するために用いられる検出用電極として機能することが可能な複数の電極を有する静電容量センサと、前記複数の電極のうち、前記検出用電極として機能する電極により得られる取得値に基づいて、前記対象物の３次元位置を検出する検出手段と、検出された前記対象物の３次元位置に応じて、前記複数の電極の状態を調整する調整手段とを含む情報処理装置である。
【手続補正５】
【補正対象書類名】明細書
【補正対象項目名】００１１
【補正方法】変更
【補正の内容】
【００１１】
前記検出手段では、前記複数の電極のうち、前記検出用電極として機能する電極により得られる出力電圧に基づいて、前記対象物の３次元位置を検出することができる。
【手続補正６】
【補正対象書類名】明細書
【補正対象項目名】００１２
【補正方法】変更
【補正の内容】
【００１２】
前記調整手段では、検出された前記対象物の３次元位置に応じて、前記複数の電極のうち、前記検出用電極として機能する電極の個数を調整することができる。
【手続補正７】
【補正対象書類名】明細書
【補正対象項目名】００１３
【補正方法】変更
【補正の内容】
【００１３】
前記調整手段では、前記対象物が第１の検出空間内の３次元位置に存在する場合、前記検出用電極として機能する電極の個数を第１の個数に調整し、前記対象物が、前記静電容量センサを基準として前記第１の検出空間よりも近い場所に存在する第２の検出空間内の３次元位置に存在する場合、前記検出用電極として機能する電極の個数を前記第１の個数よりも多い第２の個数に調整することができる。
【手続補正８】
【補正対象書類名】明細書
【補正対象項目名】００１４
【補正方法】変更
【補正の内容】
【００１４】
前記調整手段では、検出された前記対象物の３次元位置に応じて、前記複数の電極のうち、前記検出用電極として機能する電極が配置される間隔も調整することができる。
【手続補正９】
【補正対象書類名】明細書
【補正対象項目名】００１５
【補正方法】変更
【補正の内容】
【００１５】
前記調整手段では、さらに、前記対象物が前記第１の検出空間内の３次元位置に存在する場合、前記検出用電極として機能する電極が配置される間隔を第１の間隔に調整し、前記対象物が前記第２の検出空間内の３次元位置に存在する場合、前記検出用電極として機能する電極が配置される間隔を、前記第１の間隔よりも狭い第２の間隔に調整することができる。
【手続補正１０】
【補正対象書類名】明細書
【補正対象項目名】００１６
【補正方法】変更
【補正の内容】
【００１６】
前記静電容量センサでは、前記静電容量センサの平面上にマトリックス状に配置された前記複数の電極を有することができる。
【手続補正１１】
【補正対象書類名】明細書
【補正対象項目名】００１７
【補正方法】変更
【補正の内容】
【００１７】
画像を表示する表示面に前記静電容量センサが設けられた表示手段と、検出された前記対象物の３次元位置に基づいて、前記表示手段の前記表示面に対する表示を制御する表示制御手段とをさらに設けることができる。
【手続補正１２】
【補正対象書類名】明細書
【補正対象項目名】００１８
【補正方法】変更
【補正の内容】
【００１８】
前記表示制御手段では、前記対象物が前記第１の検出空間内の３次元位置に存在する場合、ユーザにより選択される対象の候補をそれぞれ表す複数の選択対象の表示を制御し、前記対象物が前記第２の検出空間内の３次元位置に存在する場合、前記複数の選択対象のうち、前記対象物の３次元位置に対応する選択対象の表示を制御することができる。
【手続補正１３】
【補正対象書類名】明細書
【補正対象項目名】００１９
【補正方法】変更
【補正の内容】
【００１９】
前記調整手段では、検出された前記対象物の３次元位置に応じて、前記複数の電極のうち、前記検出用電極として機能する電極の検知感度も調整することができる。
【手続補正１４】
【補正対象書類名】明細書
【補正対象項目名】００２０
【補正方法】変更
【補正の内容】
【００２０】
前記調整手段では、さらに、前記対象物が前記第１の検出空間内の３次元位置に存在する場合、前記検出用電極として機能する電極の検知感度を第１の検知感度に調整し、前記対象物が前記第２の検出空間内の３次元位置に存在する場合、前記検出用電極として機能する電極の検知感度を、前記第１の検知感度よりも低い第２の検知感度に調整することができる。
【手続補正１５】
【補正対象書類名】明細書
【補正対象項目名】００２１
【補正方法】変更
【補正の内容】
【００２１】
前記検出手段では、調整された前記検知感度に応じて得られる前記出力電圧に基づいて、前記対象物の３次元位置を検出することができる。
【手続補正１６】
【補正対象書類名】明細書
【補正対象項目名】００２２
【補正方法】変更
【補正の内容】
【００２２】
前記検出手段では、前記検出用電極として機能する電極の検知感度が前記第１の検知感度に調整された場合、前記第１の検知感度に応じて得られる前記出力電圧に基づいて、前記対象物の３次元位置を検出し、前記検出用電極として機能する電極の検知感度が前記第２の検知感度に調整された場合、前記第２の検知感度に応じて得られる前記出力電圧に基づいて、前記対象物の３次元位置を検出することができる。
【手続補正１７】
【補正対象書類名】明細書
【補正対象項目名】００２３
【補正方法】変更
【補正の内容】
【００２３】
本発明の一側面の情報処理方法は、検出すべき対象物の３次元位置を検出する情報処理装置の情報処理方法であって、前記情報処理装置は、静電容量センサと、検出手段と、調整手段とを含み、前記静電容量センサは、前記対象物の３次元位置を検出するために用いられる検出用電極として機能することが可能な複数の電極を有し、前記検出手段が、前記複数の電極のうち、前記検出用電極として機能する電極により得られる取得値に基づいて、前記対象物の３次元位置を検出し、前記調整手段が、検出された前記対象物の３次元位置に応じて、前記複数の電極の状態を調整するステップを含む情報処理方法である。
【手続補正１８】
【補正対象書類名】明細書
【補正対象項目名】００２４
【補正方法】変更
【補正の内容】
【００２４】
本発明によれば、対象物の３次元位置を検出するために用いられる検出用電極として機能することが可能な複数の電極のうち、検出用電極として機能する電極により得られる取得値に基づいて、対象物の３次元位置が検出され、検出された対象物の３次元位置に応じて、複数の電極の状態が調整される。
【手続補正１９】
【補正対象書類名】明細書
【補正対象項目名】００２５
【補正方法】変更
【補正の内容】
【００２５】
この発明では、パネル状に配置された静電容量センサとしてのセンサ手段の配置面への接触状態はもちろんのこと、この配置面と対峙する空間位置を検知すると共に、空間位置に応じて検知分解能を調整しながら表示状態を制御できるようにしたものである。
【手続補正２０】
【補正対象書類名】明細書
【補正対象項目名】００２７
【補正方法】変更
【補正の内容】
【００２７】
続いて、この発明に係る情報処理装置（以下、近接検知型情報表示装置という）およびその情報処理方法（以下、情報表示方法という）の好ましい実施例を図面を参照して詳細に説明する。実施例１としては、表示手段の表面にセンサ手段であるパネルセンサを貼り付けた一体型構成であって、センサ手段の検知電極としては透明なワイヤ電極と点電極を使用したものをそれぞれ説明する。